(57)【要約】【課題】性能が安定し、メーカーが示した騒音、風量、静圧などのデータに対する信頼性が高く、コストが抑えられるファンモータ及びこれを備えた電子機器を提供すること。【解決手段】プロペラ１１１と、プロペラ１１１を駆動するためのモータと、プロペラ１１１及びモータを囲繞するハウジング１２とを備えたファンモータ１において、ハウジング１２には、通風方向の一方の先端側（矢印Ｘの方向の先端側）に、所定の通気孔１２４ａを有するファンプレート１２４が一体に形成されている。また、ファンプレート１２４は係止部１２４ｂを備え、モータに接続する導線１１３は、係止部１２４ｂによってファンプレート１２４に沿って係止され、外部に導かれる。【選択図】図１
2007324374.tif 000002
【特許請求の範囲】
【請求項１】
ファンモータを備えた電子機器であって、
前記ファンモータは、
プロペラと、
前記プロペラを駆動するためのモータと、
前記プロペラ及び前記モータを囲繞するハウジングとを備えたファンモータであって、
前記ハウジングには、通風方向の一方の先端側に、所定の通気孔を有するファンプレートが一体に形成されており、
前記ファンプレートは係止部を備え、
前記モータに接続する電源供給部材は、前記係止部によって前記ファンプレートに沿って係止され、前記ファンモータの外部に導かれることを特徴とする電子機器。
【請求項２】
プロペラと、
前記プロペラを駆動するためのモータと、
前記プロペラ及び前記モータを囲繞するハウジングとを備えたファンモータにおいて、
前記ハウジングには、通風方向の一方の先端側に、所定の通気孔を有するファンプレートが一体に形成されていることを特徴とするファンモータ。
【請求項３】
前記ファンプレートは係止部を備え、
前記モータに接続する電源供給部材は、前記係止部によって前記ファンプレートに沿って係止され、外部に導かれることを特徴とする請求項２に記載のファンモータ。
【発明の詳細な説明】
【技術分野】
【０００１】
本発明は、ファンモータ及びこれを備えた電子機器に関する。
【背景技術】
【０００２】
電子回路の処理能力の向上、小型化の進展はめざましく、電子回路を用いた電子機器の利用分野は拡大の一途をたどっている。電子機器においては、半導体部品などの発熱に基づく内部の温度の上昇を低減することが、寿命の長期化、信頼性の向上のために不可欠である。そのため、一般の電子機器は、内部の温度の上昇を抑えるためのファンユニットを備えているものが多い。このファンユニットに関連する発明は以前より多くなされており、その一例を特許文献１に見ることができる。
【０００３】
特許文献１に記載の発明は、ファン及びファンを駆動するためのモータを支持する内枠部材と、内枠部材の外周面の略全体を覆う、モータに電源を供給するための電源供給コネクタが備えられた外枠部材と、内枠部材にはめ込まれた防振部材を貫通し、内枠部材の外周面と外枠部材の内周面とが当接しないように内枠部材と外枠部材とを固定する固定部材とを備えたファンユニットに関するものである。
【０００４】
特許文献１に記載の発明によると、モータを支持している内枠部材が防振部材を介して外枠部材に、内枠部材の外周面と外枠部材の内周面とが当接しないように固定されているので、ファンユニットの振動が電子機器などの装置の筐体に伝達されるのを抑制することができ、その結果、騒音や、電源供給コネクタの歪み・変形などを抑制することができる。
【０００５】
また、ファンユニットについては、電子機器などの装置への取り付け構造に関連する発明も以前より多くなされており、その一例を特許文献２に見ることができる。
【０００６】
特許文献２に記載の発明は、ファンと、ファンを囲繞するハウジングとを備えたファンユニットの、切り欠き凹部を備えた取り付け基板への取り付け構造に関するものであり、ハウジングと嵌合する保持枠と、取り付け基板の切り欠き凹部の左右内縁を圧入保持する圧入溝とを備えたホルダを用いて、ファンユニットを取り付け基板へ取り付けることとしている。
【０００７】
特許文献２に記載の発明によると、ねじやビスなどの固定具を用いることなく容易に、ファンユニットを取り付け基板へ取り付けることができるので、取り付け作業の作業性を向上させることができる。また、ファンユニットを上側に引き抜くだけで、ファンユニットを取り付け基板から取り外すことができるので、ファンユニットの交換が容易となる。
【特許文献１】特開２００４−２４１６５５号公報
【特許文献２】特開２００３−３０４０８５号公報
【発明の開示】
【発明が解決しようとする課題】
【０００８】
ところで、従来においては、プロペラと、プロペラを駆動するためのモータと、プロペラ及びモータを囲繞するハウジングとを備えたファンモータは、ファンホルダとの嵌合が行われた上で、電子機器などの装置に取り付けられてきた。ここで、ファンホルダは、通風方向の一方の面が、所定の通気孔を有するファンプレートで形成されており、プロペラ回転時の風の流路を確保しつつ、人の手やほこりなどの進入を防ぐことなどを目的としてファンモータと嵌合される。
【０００９】
しかしながら、従来においては、ファンモータとファンホルダとは別部材であって、電子機器などの装置に取り付けられる際に嵌合されるので、ファンモータとファンホルダとの嵌合状態の良否に応じて騒音レベルが大きく変化してしまい、性能が安定しないという問題があった。また、ファンモータとファンホルダとの相性によって、騒音、風量、静圧などが大きな影響を受ける場合があり、ファンモータのメーカーが示した騒音、風量、静圧などのデータに対する信頼性が低いという問題もあった。
【００１０】
また、ファンモータとファンホルダとを嵌合可能な構成とする必要があるので、電子機器などの装置の内部の温度の上昇を抑えるという本来の目的からは外れた、嵌合のための部材が多く必要となり、そのためにコストアップするという問題もあった。また、ファンホルダの製作に必要な金型費用のためにコストアップするという問題もあった。
【００１１】
上記の問題点を鑑みて、本発明においては、性能が安定し、メーカーが示した騒音、風量、静圧などのデータに対する信頼性が高く、コストが抑えられるファンモータ及びこれを備えた電子機器を提供することを目的とする。
【課題を解決するための手段】
【００１２】
本発明においては、電子機器は、ファンモータを備えた電子機器であって、前記ファンモータは、プロペラと、前記プロペラを駆動するためのモータと、前記プロペラ及び前記モータを囲繞するハウジングとを備えたファンモータであって、前記ハウジングには、通風方向の一方の先端側に、所定の通気孔を有するファンプレートが一体に形成されており、前記ファンプレートは係止部を備え、前記モータに接続する電源供給部材は、前記係止部によって前記ファンプレートに沿って係止され、前記ファンモータの外部に導かれることを特徴とする。
【００１３】
これによると、性能が安定し、メーカーが示した騒音、風量、静圧などのデータに対する信頼性が高く、コストが抑えられるファンモータを備えた電子機器が提供される。
【００１４】
本発明においては、ファンモータは、プロペラと、前記プロペラを駆動するためのモータと、前記プロペラ及び前記モータを囲繞するハウジングとを備えたファンモータにおいて、前記ハウジングには、通風方向の一方の先端側に、所定の通気孔を有するファンプレートが一体に形成されていることを特徴とする。
【００１５】
これによると、本発明のファンモータにおいては、プロペラ及びモータを囲繞するハウジングには、通風方向の一方の先端側に、所定の通気孔を有するファンプレートが一体に形成されている。そのため、ファンモータのハウジングに一体に形成されたファンプレートによって、プロペラ回転時の風の流路を確保しつつ、人の手やほこりなどの進入を防ぐことなどが可能となり、ファンホルダが不要となる。したがって、ファンモータとファンホルダとを嵌合する必要が無くなるので、従来の方法における、ファンモータとファンホルダとの嵌合状態の良否に応じて騒音レベルが大きく変化してしまうという問題が解消される。また、ファンモータとファンホルダとを嵌合する必要が無くなるので、従来の方法における、ファンモータとファンホルダとの相性によって、騒音、風量、静圧などが大きな影響を受ける場合があり、ファンモータのメーカーが示した騒音、風量、静圧などのデータに対する信頼性が低いという問題も解消される。また、ファンモータとファンホルダとを嵌合する必要が無くなるので、従来の方法における、電子機器などの装置の内部の温度の上昇を抑えるという本来の目的からは外れた、嵌合のための部材が多く必要となり、そのためにコストアップするという問題も解消される。また、ファンホルダが不要となるので、従来の方法における、ファンホルダの製作に必要な金型費用のためにコストアップするという問題も解消される。以上より、性能が安定し、メーカーが示した騒音、風量、静圧などのデータに対する信頼性が高く、コストが抑えられるファンモータが提供される。
【００１６】
本発明においては、上記構成のファンモータにおいて、前記ファンプレートは係止部を備え、前記モータに接続する電源供給部材は、前記係止部によって前記ファンプレートに沿って係止され、外部に導かれることが望ましい。
【００１７】
これによると、本発明のファンモータにおいては、上記構成のファンモータにおいて、ファンプレートは係止部を備え、モータに接続する電源供給部材は、係止部によってファンプレートに沿って係止され、外部に導かれる。したがって、ケーブルや導線などの電源供給部材がプロペラに絡まることなく外部の電源に接続できる。
【発明の効果】
【００１８】
本発明によると、性能が安定し、メーカーが示した騒音、風量、静圧などのデータに対する信頼性が高く、コストが抑えられるファンモータ及びこれを備えた電子機器が提供される。
【発明を実施するための最良の形態】
【００１９】
本発明の実施形態について、図面を用いて説明すれば以下の通りである。
【００２０】
まず、本発明の実施形態に係るファンモータ１について、図１から図３を用いて説明する。図１（ａ）は、本発明の実施形態に係るファンモータ１を示す斜視図であり、図１（ｂ）は、本発明の実施形態に係るファンモータ１を、図１（ａ）における矢印Ｘの方向（通風方向）から見た様子を示す平面図である。ファンモータ１は、ファン１１と、ハウジング１２とを有している。
【００２１】
図２は、ファン１１の詳細を示す説明図である。ファン１１は、プロペラ１１１と、モータ１１２と、導線１１３（電源供給部材）とを有している。プロペラ１１１は合成樹脂などからなり、複数枚の羽（図２では５枚）が、円筒状のボス部と一体に形成されたものである。モータ１１２は、プロペラ１１１の円筒状のボス部の中空部に備えられており、その底面からは、導線１１３が延びている。そして、図１（ａ）における矢印Ｘの方向と、図２における矢印Ｘの方向とが一致するように、ファン１１がハウジング１２に取り付けられる。
【００２２】
図３は、ファン１１を取り除いた状態のファンモータ１、つまり、ハウジング１２を、図１（ａ）における矢印Ｘの方向から見た様子を示す平面図である。ハウジング１２は、ベース１２１と、側壁１２２とスポーク１２３と、ファンプレート１２４とを有し、これらは一体に形成されている。また、ハウジング１２は、導線孔１２５と、取り付け孔１２６とを有している。
【００２３】
ベース１２１は、プロペラ１１１の円筒状のボス部と、モータ１１２とが載置される部分である。側壁１２２は、ファン１１の通風方向に平行な４面によって構成される筒状の囲いである。スポーク１２３は放射状に形成され、ベース１２１と、側壁１２２とを連結するものである。
【００２４】
ファンプレート１２４は、ハウジング１２の矢印Ｘの方向の先端側に形成された面であり、通気孔１２４ａと、係止部１２４ｂとを有している。ここで、通気孔１２４ａは、プロペラ１１１回転時の風の流路を確保するためのものである。
【００２５】
係止部１２４ｂは、ファンプレート１２４において、矢印Ｘの反対方向から形成された凹部であり、モータ１１２の底面より延びている導線１１３を、ファンプレート１２４に沿って係止しつつ、導線孔１２５に導くためのものである。
【００２６】
以下、この詳細を図４を用いて説明する。図４は、導線１１３の経路を示す断面図である。図４に示すように、モータ１１２の底面より延びている導線１１３は、係止部１２４ｂにおいてファンプレート１２４の外部に通される。そして、その後、導線孔１２５に導かれる。
【００２７】
導線孔１２５は、側壁１２２の、ファンプレート１２４と対向する側の面から、矢印Ｘの方向に貫通され、側壁１２２のファンプレート１２４側の面の近傍に至り、その後、側壁１２２の内側に貫通されたＬ字状の孔である。そして、導線１１３は、この導線孔１２５を通って、側壁１２２の、ファンプレート１２４と対向する側の面からファンモータ１の外部に導かれる。
【００２８】
取り付け孔１２６は、側壁１２２の、ファンプレート１２４と対向する側の面の４隅に設けられている。そして、取り付け孔１２６にねじやビスなどを通すことによって、ファンモータ１を電子機器などの装置に取り付けることとなる。
【００２９】
図５は、ファンモータ１を備えた電子機器１０００の様子を示す説明図である。図５においては、ファンモータ１は、電子機器１０００の筐体の外部に、取り付け孔１２６を用いて取り付けられている。図５より、ファンプレート１２４によって、プロペラ１１１回転時の風の流路を確保しつつ、人の手やほこりなどの進入を防ぐことができることが分かる。
【００３０】
なお、上記図１から図５においては、説明の都合上一部の部材を省略した。例えば、図１（ａ）においては、通気孔１２４ａからプロペラ１１１が覗いているはずであるが、これを省略した。また、図１（ｂ）においては、プロペラ１１１の羽は５枚見えるはずであるが、３枚のみ示している。
【００３１】
上記の通り、本実施形態に係るファンモータ１においては、プロペラ１１１及びモータ１１２を含むファン１１を囲繞するハウジング１２には、通風方向の一方の先端側（矢印Ｘの方向の先端側）に、所定の通気孔１２４ａを有するファンプレート１２４が一体に形成されている。そのため、ハウジング１２に一体に形成されたファンプレート１２４によって、プロペラ１１１回転時の風の流路を確保しつつ、人の手やほこりなどの進入を防ぐことなどが可能となり、ファンホルダが不要となる。
【００３２】
したがって、ファンモータとファンホルダとを嵌合する必要が無くなるので、従来の方法における、ファンモータとファンホルダとの嵌合状態の良否に応じて騒音レベルが大きく変化してしまうという問題が解消される。また、ファンモータとファンホルダとを嵌合する必要が無くなるので、従来の方法における、ファンモータとファンホルダとの相性によって、騒音、風量、静圧などが大きな影響を受ける場合があり、ファンモータのメーカーが示した騒音、風量、静圧などのデータに対する信頼性が低いという問題も解消される。
【００３３】
また、ファンモータとファンホルダとを嵌合する必要が無くなるので、従来の方法における、電子機器などの装置の内部の温度の上昇を抑えるという本来の目的からは外れた、嵌合のための部材が多く必要となり、そのためにコストアップするという問題も解消される。また、ファンホルダが不要となるので、従来の方法における、ファンホルダの製作に必要な金型費用のためにコストアップするという問題も解消される。以上より、性能が安定し、メーカーが示した騒音、風量、静圧などのデータに対する信頼性が高く、コストが抑えられるファンモータ１が提供される。
【００３４】
また、本実施形態に係るファンモータ１においては、ファンプレート１２４は係止部１２４ｂを備え、モータ１１２に接続する導線１１３は、係止部１２４ｂによってファンプレート１２４に沿って係止され、ファンモータ１の外部に導かれる。したがって、導線１１３がプロペラ１１１に絡まることなく外部の電源に接続できることとなる。
【００３５】
なお、本発明は上記の実施形態に限定されず、本発明の趣旨を逸脱しない範囲で種々の変更が可能である。例えば、プロペラ１１１は、５枚の羽で構成されていたが、７枚などであってもよい。また、ファンモータ１は、電子機器１０００の筐体の外部でなく内部に取り付けることももちろん可能である。また、ファンプレート１２４は、ハウジング１２の矢印Ｘの方向の先端側でなく、矢印Ｘの反対方向の先端側に一体に形成することももちろん可能である。
【産業上の利用可能性】
【００３６】
本発明は、ファンモータ及びこれを備えた電子機器として有効である。
【図面の簡単な説明】
【００３７】
【図１】図１（ａ）は、本発明の実施形態に係るファンモータ１を示す斜視図、図１（ｂ）は、本発明の実施形態に係るファンモータ１を、図１（ａ）における矢印Ｘの方向から見た様子を示す平面図。
【図２】ファン１１の詳細を示す説明図。
【図３】ファン１１を取り除いた状態のファンモータ１、つまり、ハウジング１２を、図１（ａ）における矢印Ｘの方向から見た様子を示す平面図。
【図４】導線１１３の経路を示す断面図。
【図５】ファンモータ１を備えた電子機器１０００の様子を示す説明図。
【符号の説明】
【００３８】
１    ファンモータ
１１１    プロペラ
１１２    モータ
１１３    導線（電源供給部材）
１２    ハウジング
１２４    ファンプレート
１２４ａ    通気孔
１２４ｂ    係止部
１０００    電子機器
【図１】
2007324374.tif 000003
【図２】
2007324374.tif 000004
【図３】
2007324374.tif 000005
【図４】
2007324374.tif 000006
【図５】
2007324374.tif 000007